(57)【要約】      （修正有）【課題】落下損傷および紛失を防止できる補聴器ホルダーを提供する。【解決手段】補聴器ホルダーは、弾性ゴムで形成され、横断面が水道管型のパイプ状で形成された眼鏡フレームと接する部分と補聴器レシーバーと接する部分を有する補聴器ホルダーであって、眼鏡のフレームの太さまで拡張し収納後は眼鏡フレームの太さまで縮小するホルダー１ａ、ならびに補聴器のレシーバーを通す内径のあるホルダー１ｂでともに弾性ゴムで形成され、ホルダー１ａは眼鏡フレームと連携し、ホルダー１ｂは補聴器本体とレシーバー導線を支え、眼鏡フレームとホルダー１ａ，１ｂにより補聴器を保持する。【選択図】図２
0003215353.tif 000002
【実用新案登録請求の範囲】
【請求項１】
弾性素材で形成され、横断面が水道管型のパイプ状で、眼鏡フレームと接する部分と補聴器レシーバーへ伝達する導線と接する部分を有する補聴器ホルダーであって、弾性素材の拡張縮小機能により眼鏡フレームと前記導線をそれぞれ保持することにより眼鏡フレームと補聴器を常に一体運用を可能とする補聴器ホルダー。
【請求項２】
弾性素材で形成され、横断面が水道管型のパイプ状の補聴器ホルダーであって、弾性素材の拡張縮小機能により眼鏡フレームと補聴器レシーバーへ伝達する導線を同体に保持することにより眼鏡フレームと補聴器を常に一体運用を可能とする補聴器ホルダー。
【請求項３】
前記弾性素材が弾性ゴムである請求項１、請求項２の補聴器ホルダー。
【考案の詳細な説明】
【技術分野】
【０００１】本考案は、補聴器の落下による損傷および紛失防止ホルダーで眼鏡との組み合わせに関する。
【背景技術】
【０００２】近年各社の案出した補聴器具については小型かつ高性能と幾多の形状で他人に気づかれずに利用することが可能となり一般に普及している。価格は片耳一台１００万円とも言われている。
一方補聴器を装着する人の多くは眼鏡とともに使用し、しかしながら着脱の頻度が多いことから落下損傷や紛失による多額の損失を余儀なくされている。また日常生活での置き忘れも多く不便を感じている。
この状況を踏まえ落下による損傷や紛失防止ため眼鏡との関係においていくつかの方法が提案されている。【０００３】特許文献１は、眼鏡フレームの内部にマイク、増幅器など補聴器の機能機器を組み込み一体化した眼鏡型補聴器が開示されている。眼鏡フレームからはレシーバーとの電気接続のためのリード線が出て補聴器と不可分なっている。したがって利用者は眼鏡と補聴器を一体的に使用でき落下による損傷や紛失、置き忘れは防止できる。
特許文献２は、陸上競技のトラック型の筒状部材で形成されたホルダーで、筒を拡張することにより内部に補聴器本体を収容し、該ホルダー本体を眼鏡の先セル部に取り付け部材を設け眼鏡フレームに保持できる。利用者は眼鏡と補聴器を一体的に使用でき落下による損傷や紛失、置き忘れは防止できる。
【先行技術文献】
【特許文献】
【０００４】
【特許文献１】特開２０１６−０３９６３２
【特許文献２】特開２０１３−４８３１４
【０００５】一方補聴器本体は単体で製造販売されている。眼鏡フレームの製造工程も独立している。いずれも眼鏡の取り換えや補聴器の取り換えは必ず他方の取り換えを必要となる。使用方法として、補聴器本体のみ単体で使用する頻度は多いが特許文献１に示されたホルダーの難点は、メガネフレームの取り換え時点で補聴器の取り換えの必要が生じる。補聴器の性能変更時点でメガネフレームの取り換えが生じる。すなわち一方だけの取り換えでは済まない非効率性がある。また、補聴器本体は単体での使用が不可能である。特許文献２に示す補聴器ホルダー取り付けるための部材は、眼鏡フレームに組み込まれているのでフレームの交換時に必ず発生する。さらにメガネフレームに固定された補聴器はレシーバーと接続する導線を常に緊張状態となるための断線が発生しやすい。
【考案の概要】
【考案が解決しようとする課題】
【０００６】近年各社の補聴器具については小型精密機械の集積であり幾多の形状で価格も片耳一台１００万円とも言われている。一方、日常生活での補聴器の取り外し、保管、取り付けを日々繰り返す着脱の頻度が多い環境の下、落下損傷や紛失による多額の損失を余儀なくされている。また取り外した後の置き忘れの頻度も多く不便を感じている。
そこで本発明は、眼鏡と補聴器は日常生活の変化とともに着脱していることが多く両者は一体的かつ同時に使用されていることに着眼し、しかもコストパフォーマンスに優れた補聴器ホルダーとして提供することを目的としている。
【課題を解決するための手段】
【０００７】前記の目的は、下記に示す本発明の補聴器ホルダーおよび補聴器ホルダーと眼鏡との関係で構成される。
（１）弾性素材で形成され、眼鏡のフレームの太さまで十分に拡張可能で拡張後は眼鏡フレームの太さまで縮小する補聴器ホルダー（１ａ）、並びにレシーバーを通す内径のあるホルダー（１ｂ）で、ホルダー１ａは眼鏡フレームと連携し、１ｂは補聴器レシーバー導線を保持することにより眼鏡フレームと補聴器を常に一体運用を可能とする。
（２）弾性素材で形成され、横断面が水道管型のパイプ状の補聴器ホルダー（１ａ）であって、弾性素材の拡張縮小機能により眼鏡フレームと補聴器レシーバーへ伝達する導線を同体に保持することにより眼鏡フレームと補聴器を常に一体運用を可能とする。
【考案の効果】
【０００８】（１）補聴器は小型精密機械で本体、レシーバー、導線の３部分から構成されている。一方日常生活の寝食、会話、車の運転、使用方法としては補聴器単独の使用、不使用時の格納、眼鏡と一体的使用など様々な変化に対応することが必要である。
（２）本補聴器ホルダーは弾性ゴムで形成されているため、眼鏡との関係において取り付け取り外しが容易で単独使用、眼鏡との一体的使用で落下損傷を防止でき、就寝時の取り外し格納は
（３）眼鏡とともにあるため眼鏡とともに格納できるため紛失事故、置き忘れを防止できる。
（４）眼鏡フレームの取り換えや補聴器の性能劣化による取り換えも考えれば、補聴器の眼鏡からの取り付け外しは必須であるが双方の新規に容易に適用できる。
【図面の簡単な説明】
【０００９】
【図１】補聴器ホルダー１ａおよび１ｂを眼鏡フレームに取り付ける平面図、同ホルダー１ａのみ眼鏡フレーム取り付けた平面図
【図２】補聴器ホルダー１ａ，ｂの平面図
【図３】補聴器ホルダー１ａ，ｂの立面図
【図４】小型高性能補聴器本体、受信音声の導線、耳殻に伝導するレシーバー側面図、
【図５】補聴器ホルダー１ａおよび１ｂを眼鏡フレームに取り付けた実施事例
【図６】補聴器ホルダー１ａのみで眼鏡フレームと受信音声の導線に同体保持した実施事例
【考案を実施するための形態】
以下添付図面を参照しつつ、本発明の実施形態による補聴器ホルダー、あるいは補聴器ホルダーと眼鏡との組み合わせを説明する。
【０００１０】図５は１ａ，１ｂで構成する補聴器ホルダーの１ａの穴の部分を拡大し、眼鏡フレーム２の右先端より差し込む。次に補聴器レシーバーのイヤーピースを取り外し補聴器レシーバー先端をホルダー１ｂ右サイドから左サイドの方向にさしこむ。最後にレシーバーイヤーピースをレシーバーの先端に取り付け戻す。次にレシーバーと補聴器本体とにソフトな張りを保ちながら耳に差し込み、補聴器本体を耳の上部に保持する。
【００１１】図６は補聴器ホルダー１ａのみを使用したもので、まず、補聴器レシーバーのイヤーピースを取り外し補聴器レシーバー先端をホルダー１ａ右サイドから左サイドの方向にさしこむ。次にレシーバー導線を保持した状態で補聴器ホルダー１ａの穴の部分を拡大し、眼鏡フレーム２の右先端より差し込む。最後にレシーバーイヤーピースをレシーバーの先端に取り付け戻す。
次にレシーバー導線と補聴器本体とにソフトな張りを保ちながらイヤーピース耳に差し込み、補聴器本体を耳の上部に保持する。
【００１２】本補聴器ホルダーは、レシーバーの導線の動きを可能としているため日常生活の突然の動きを吸収し眼鏡フレームから補聴器へのショックを緩和でき、落下損傷を防止できる。併せてコストパフォーマンスに優れている。
【符号の説明】
【００１３】１．図１，２，３，５，６に示す記号１ａ，１ｂは補聴器ホルダーをそれぞれ示す。
２．図１，５，６に示す記号２は眼鏡フレームを示す。
３．図３に示す記号３ａ，３ｂは補聴器ホルダー１ａ，１ｂのそれぞれ直径を示す。
４．図４，５に示す記号４，５は補聴器本体を示す。
５．図４，６に示す６は補聴器レシーバーを示す。
６．図４，５，６に示す７は補聴器本体受信音声を補聴器レシーバーに伝える導線を示す。
７．図５，６に示す８は補聴器レシーバーと人の耳殻を密着させるためのイヤーピースを示す。
【図１】
0003215353.tif 000003
【図２】
0003215353.tif 000004
【図３】
0003215353.tif 000005
【図４】
0003215353.tif 000006
【図５】
0003215353.tif 000007
【図６】
0003215353.tif 000008